(57)【特許請求の範囲】
【請求項１】
数条の櫛歯状係止片の一端を平行に止着した反転性能を有するストッパー本体と、該ストッパー本体と組み合わされる可撓性を有する金属製板もしくは合成樹脂板からなるレール状部材とからなり、前記ストッパー本体の櫛歯状係止片を備えた側から貫通するピンを前記レール状部材に係合させて互いに摺動自在になるようにし、前記ストッパー本体のピンがレール状部材の係合面で摺動することを特徴とするかつら係止用ストッパー。
【請求項２】
前記レール状部材が中央に細溝を形成した長尺状材からなり、前記レール状部材と前記ストッパー本体とがストッパー本体側からレール状部材の細溝に嵌入する先端に、この細溝からの抜け止めを有する前記ストッパー本体のピンにより摺動自在に接合されていることを特徴とする請求項１に記載のかつら係止用ストッパー。
【請求項３】
前記レール状部材に形成される細溝の対峙面が,互いに対応する波状であることを特徴とする請求項２に記載のかつら係止用ストッパー。
【請求項４】
前記レール状部材が、断面凹型でその開口部に袖辺が両側より張り出して形成された長尺状材からなるとともに、前記レール状部材と前記ストッパー本体とがストッパー本体側からレール状部材の開口部に嵌入する先端に、この開口部からの抜け止めを有する前記ストッパー本体のピンにより摺動自在に接合されていることを特徴とする請求項１に記載のかつら係止用ストッパー。
【請求項５】
断面凹型でその開口部に袖辺が両側より張り出して形成された長尺状材からなる前記レール状部材おいて、該開口部袖辺が互いに対応する波状であることを特徴とする請求項４に記載のかつら係止用ストッパー。
【請求項６】
前記ストッパー本体と前記レール状部材とが、前記ストッパー本体の両側に取り付けた先端に係止片を有するピンにより前記レール状部材を両側から挟み込むことにより摺動自在に接合されていることを特徴とする請求項１に記載のかつら係止用ストッパー。
【請求項７】
前記ストッパー本体の両側に取り付けた先端に係止片を有するピンにより両側より摺動自在に挟み込まれる前記レール状部材の両辺が互いに対応する波状であることを特徴とする請求項６に記載のかつら係止用ストッパー。
【請求項８】
前記レール状部材が断面逆凸型で、前記レール状部材と前記ストッパー本体とがその段差部を前記ストッパー本体の両側に取り付けた先端に係止片を有するピンにより両側から挟み込むことにより摺動自在に接合されていることを特徴とする請求項６に記載のかつら係止用ストッパー。
【請求項９】
断面逆凸型の前記レール状部材において、該レール状部材の両長辺が互いに対応する波状であることを特徴とする請求項８に記載のかつら係止用ストッパー。
【請求項１０】
前記ストッパー本体と前記レール状部材とが、前記ストッパー本体の両長辺裏面に形成した細長で、先端を膨出し球形として摺動部を、前記レール状部材の両長辺端に形成した断面凹状の溝状部材に嵌入することにより摺動自在に接合されていることを特徴とする請求項１に記載のかつら係止用ストッパー。
【発明の詳細な説明】
【０００１】
【発明の属する技術分野】
本発明は、かつらを頭部に固定する際に使用するかつら係止用ストッパーに関するものである。
【０００２】
【従来の技術】
義毛を植設したかつらの頭部への固定として、かつら裏面に貼りつけた両面接着テープにより頭皮に貼りつけ固定する方法や、かつらにスリットを設けそのスリットより自毛を引き出した後、自毛を接着剤若しくは両面テープによりかつらに接着することによりかつらを固定する方法がある。
これらのうち、前者のものは頭皮に両面テープの一側を接着するものであることから、頭皮から滲み出る皮脂により十分な接着力が得られない他に、頭皮にかぶれもしくは湿疹等をひきおこすという問題がある。
さらに後者のものは、かつらの装着が容易ではなく、さらに接着剤を使用することから、前記同様にかぶれや湿疹を引き起こすという問題がある。
このような頭皮へ悪影響を及ぼし得る接着剤や両面テープ等を使用しないストッパーによりかつらを固定する方法が以前から広く支持されてきた。
これは、自毛を係止する数条の櫛歯状の係止片を取り付け反転させると該係止片先端が自毛を押圧し係止を確実にするかつら係止用ストッパーをかつら裏面に取り付けたもので、接着剤や両面接着テープ等を使用することなく、かつらを固定することから、その装着は勿論、取り外しも容易であり、さらに頭皮にかぶれや湿疹等を引き起こすことがない利点を有している。
【０００３】
その一例として、本願人が所有していた実用新案登録第１４１８６５７号（実公昭５６−２３２９４）に係るかつら用ストッパーの概略を図１１を参照しつつ説明する。
ストッパー本体１０は、弾性金属薄板をプレスによりＵ字状に打ち抜き形成した本体１１の一側の脚片に緩い波形に屈曲し先端を膨出させて球形とした突片１２を多数櫛歯状に溶着したものであり、かつらＡの裏面の適宜箇所に両面テープ等により接着、固定される。
かつらＡを頭部に固定するには、櫛歯状突片１２に自毛を挟み込んだ後、ストッパー本体１１の両端を押し、反転させれば、前記突片１２は脚片と密着し、その間に自毛を挟んで固定するとともに、元の側に反転させると脚片と突片１２間には間隙が生じ、自毛の固定が解除される。
【０００４】
この種のかつら係止用ストッパーはその扱いが容易であり、しかも頭部への固定が確実であるという利点がある反面、ストッパーの位置がかつらに固定されていることから、かつらを係止するために使用される自毛は常に同じものであり、そのため使用される自毛に多くの負担を与え、抜け毛の原因をもたらすという問題があった。
さらに、係止するために使用する自毛が抜けたり、細くなり、かつらの係止に耐えられなくなった場合には、その箇所に対応するストッパーの使用はできなくなり、ストッパーの位置を変えなければならないという問題もあった。ストッパーがかつらの裏面に熱溶着等により固定されている場合には、その変更は容易ではなく、場合によってはかつらそのものを新しくしなければならないことも生じる。
【０００５】
そこで、本願人はかかる欠点を除去するかつら用ストッパーを公にした（実公昭６３−４８６５５）。
このかつら用ストッパーは、反転性能を有する湾曲反転部と、当該湾曲反転部の一方の脚片に慴動自在に嵌合するスライド片と、当該スライド片に櫛歯状に設けられた多数の突片とからなり、前記湾曲反転部の反転運動に伴ない前記多数の突片が湾曲反転部の他方の脚片と係脱することを特徴とするものである。
すなわち、当該考案においては、自毛を係止する突片がスライド片に取りつけられており、該スライド片は脚部にそって慴動自在であることから、自毛や頭皮に当たる部分をいつも一定の個所ではなく、変化させることができるので、自毛や頭皮に与える負担を軽減することができる。
【０００６】
【発明が解決しようとする課題】
しかしながら、このかつら係止用ストッパーは、その慴動範囲がストッパー本体の脚片内という極めて限られた範囲でしかなく、自毛への負担を大幅に軽減するものではなかった。
本発明は、かかる問題点の解決を目的とするもので、ストッパーが係止する自毛への負担を軽減するために、ストッパーの位置を適宜変更することができ、しかも自毛が抜けたり細くなって、かつらの係止に耐えられなくなった場合でも他の箇所にストッパーを容易に移動させることができるかつら係止用ストッパーを提供するものである。
【０００７】
【課題を解決するための手段】
本発明は、かかる目的を達成するためになされたものであり、数条の櫛歯状係止片の一端を平行に止着した反転性能を有するストッパー本体と、該ストッパー本体と組み合わされる可撓性を有する金属製板もしくは合成樹脂板からなるレール状部材とからなり、前記ストッパー本体の櫛歯状係止片を備えた側から貫通するピンを前記レール状部材に係合させて互いに摺動自在になるようにし、前記ストッパー本体のピンがレール状部材の係合面で摺動することを特徴とし、前記レール状部材が中央に細溝を形成した長尺状材からなり、前記レール状部材と前記ストッパー本体とがストッパー本体側からレール状部材の細溝に嵌入する先端に、この細溝からの抜け止めを有する前記ストッパー本体のピンにより摺動自在に接合されていることを特徴とし、前記レール状部材に形成される細溝の対峙面が,互いに対応する波状であることを特徴とし、前記レール状部材が、断面凹型でその開口部に袖辺が両側より張り出して形成された長尺状材からなるとともに、前記レール状部材と前記ストッパー本体とがストッパー本体側からレール状部材の開口部に嵌入する先端に、この開口部からの抜け止めを有する前記ストッパー本体のピンにより摺動自在に接合されていることを特徴とし、前記レール状部材の開口部袖辺が互いに対応する波状であることを特徴とし、前記ストッパー本体の両側に取り付けた先端に係止片を有するピンにより前記レール状部材を両側から挟み込むことにより摺動自在に接合されていることを特徴とし、前記ストッパー本体の両側に取り付けた先端に係止片を有するピンにより両側より摺動自在に挟み込まれる前記レール状部材の両辺が互いに対応する波状であることを特徴とし、前記レール状部材が断面逆凸型で、前記レール状部材と前記ストッパー本体とがその段差部を前記ストッパー本体の両側に取り付けた先端に係止片を有するピンにより両側から挟み込むことにより摺動自在に接合されていることを特徴とし、該断面逆凸型のレール状部材の両長辺が互いに対応する波状であることを特徴とし、さらに前記ストッパー本体と前記レール状部材とが、前記ストッパー本体の両長辺裏面に形成した細長で、先端を膨出し球形として摺動部を、前記レール状部材の両長辺端に形成した断面凹状の溝状部材に嵌入することにより摺動自在に接合されていることを特徴とするものである。
【０００８】
【発明の実施の形態】
次に、本発明に係るかつら係止用ストッパーの実施の形態を図面とともに説明する。
図１及び図２は、請求項１及び２に記載のかつら係止用ストッパーに対応するものであり、図１はその全体斜視図、図２は櫛歯状の係止片を省略した図１のＡ−Ａ線断面図である。
ストッパー本体１は、可撓性を有すると同時に一側に膨出し湾曲させ反転性能を付与した略長方形の金属もしくは樹脂製の薄板により構成され、内側には略長方形の打ち抜き部を有する。長辺１ａに弾性を有する鋼線からなる多数の係止片２の根元部を溶接、熱溶着等により平行に固定し、櫛歯状とする。
長辺１ａに固定された櫛歯状係止片２・・・の他端は、長辺１ｂより若干外側に伸びるとともに、その先端部に球形部を形成し、自毛に取り付ける際に地肌等を傷めないよう加工しておく。
係止片２・・・は、長辺１ａ及び１ｂの湾曲を反転させると、その反転運動に従って先端側が長辺１ｂ側に押し当てられ、その逆側に反転すると長辺１ｂから離れ、長辺１ｂとの係止が解かれる。
レール状部材３は、上記ストッパー本体１の有する反転運動に対応し得る可撓性を有する金属もしくは樹脂製の長尺状材であり、その内側に細長い切り抜き３ａを有する。
ストッパー本体１とレール状部材３との接合は、ストッパー本体１の両短辺側の中央に貫通して取付けたピン４ａ、４ｂにより慴動自在に取り付けられる。
すなわち、ピン４ａ、４ｂはストッパー本体１を貫通し、さらにレール状部材３の切り抜き３ａを貫通し、その背面において切り抜き３ａからの抜けを防止するための係止部５が形成される。
以上の構成よりなるストッパー本体１は、レール状材３に沿って、慴動自在に取り付けられることになる。
【０００９】
次に、図３により請求項３に対応するかつら係止用ストッパーについて説明する。
ストッパー本体３１及びレール状部材３３との接合は、前記図１に示すものと同じである。
レール状部材３３は、ストッパー本体３１の有する反転運動に対応し得る可撓性を有する金属もしくは樹脂製の長尺状材であり、その内側に細長い切り抜き３３ａを有する。
切り抜き３３ａの両辺には、互いに対応する波形を形成し、該切り抜き内に嵌入するピン３４ａ、３４ｂが両波形により形成される凹み部３３ｂに入り込むと、ストッパー本体３１のスライドが停止し、固定されることになる。
【００１０】
次に、図４により請求項４に対応するかつら係止用ストッパーについて説明する。
ストッパー本体４１及びレール状部材４３との接合は、前記図１に示すものと同じである。
レール状部材４３は、ストッパー本体４１の有する反転運動に対応し得る可撓性を有する金属もしくは樹脂製の長尺状材であり、断面凹型の形状を有する。
断面凹型のレール状部材４３は、その開口部の内側辺がピン４４ａ、４４ｂの抜け止めを防止するために、内側へ張り出しており、該レール状部材４３内に嵌入したピン４４ａ、４４ｂにより、ストッパー本体４１はレール状部材４３に慴動自在に取り付けられることになる。
【００１１】
レール状部材４３の内側辺を前記図３に示すように互いに対応する波形に形成した場合には、切り抜き内に嵌入するピン４４ａ、４４ｂが両波形により形成される凹み部に入り込み、ストッパー本体４１のスライドを停止させ、確実に固定することができる。
これが、請求項５に対応するかつら係止用ストッパーである。
【００１２】
図１〜図４に示したかつら係止用ストッパーにおけるレール状部材とストッパー本体の接合は、ストッパー本体における両短辺側の中央に設けたピンによるものであるが、図５〜８に示すものは、長辺側に設けたピンによるものである。
図５に示すものは請求項６に対応するかつら係止用ストッパーであり、図６は櫛歯状の係止片を省略したそのＢ−Ｂ線断面図である。
ストッパー本体５１は、前記図１に示すものと同じである。
レール状部材５３は、ストッパー本体５１の有する反転運動に対応し得る可撓性を有する金属もしくは樹脂製の長尺状材である。
ストッパー本体５１とレール状部材５３は、ストッパー本体５１の長辺側の４隅に取り付けたピン５４ａ，５４ｂ、５４ｃ、５４ｄにより慴動自在に接合される。
すなわち、レール状部材５３をピン５４ａと５４ｂ、５４ｃと５４５ｄによりそれぞれ挟み込むように接合する。各ピン５４ａ〜５４ｄの下端にはレール状部材５３から抜け落ちないように内側に向かい合う係止片５５を形成する。
【００１３】
次に、図７により請求項７に対応するかつら係止用ストッパーについて説明する。
ストッパー本体７１及びレール状部材７３との接合は、前記図５及び図６に示すものと同じである。
レール状部材７３は、ストッパー本体７１の有する反転運動に対応し得る可撓性を有する金属もしくは樹脂製の長尺状材であり、その外側の両長辺には、互いに対応する波形を形成し、ストッパー本体７１のピン７４ａ、７４ｂ、７４ｃ、７４ｄが両波形により形成される縮径部７３ａに入り込むと、ストッパー本体７１のスライドが停止し、固定されることになる。
【００１４】
次に、図８により請求項８に対応するかつら係止用ストッパーについて説明する。
ストッパー本体８１及びレール状部材８３との接合は、前記図５及び図６に示すものと同じである。
レール状部材８３は、ストッパー本体８１の有する反転運動に対応し得る可撓性を有する金属もしくは樹脂製の長尺状材であり、その断面は逆凸型形状である。
ピン８４ａ、８４ｂ、８４ｃ、８４ｄの下端部に形成した係止片がレール状部材８３の段部に入り込み、挟み込むようにして慴動自在に取り付けられることになる。
【００１５】
レール状部材８３の両長辺を前記図７に示すように互いに対応する波形に形成した場合には、ピン８４ａ、８４ｂ、８４ｃ、８４ｄの軸部が両波形により形成される縮径部に入り込むと、ストッパー本体８１はスライドを停止させ、確実に固定することができる。
これが、請求項９に対応するかつら係止用ストッパーである。
【００１６】
次に、図９及び１０により請求項１０に対応するかつら係止用ストッパーについて、説明する。図９は、全体の斜視図であり、図１０はストッパー本体とレール状部材の接合状態を示す一部拡大断面図である。
ストッパー本体９１は、図１〜８に示されているものと同様に可撓性を有すると同時に一側に膨出し湾曲させ反転性能を付与した略長方形の金属もしくは樹脂製の薄板により構成され、内側には略長方形の打ち抜き部分を有し、さらに長辺９１ａに弾性を有する鋼線からなる多数の係止片９２の根元部を溶接、熱溶着等により平行に固定し、櫛歯状としたものである。
このストッパー本体９１の両長辺の裏面に細く伸び、先端を膨出し球形とした慴動部９４ａを形成する。
一方、レール状部材９３は、両長辺端に断面凹状の溝状部９３ａ，９３ｂを有する長尺状材であり、ストッパー本体９１の有する反転運動に対応し得る可撓性を有する金属もしくは樹脂製である。
該溝状部９３ａ、９３ｂの開口部上端は内側に張り出させ、前記慴動部９４ａを嵌入した後の抜け防止とする。
ストッパー本体９１の両長辺下面の慴動部９４ａ、９４ｂをレール状部材９３の溝状部９３ａ、９３ｂにそれぞれ嵌入させれば、ストッパー本体９１はレール状部材９３に慴動自在に取り付けられることになる。
【００１７】
次に以上の構成よりなる本発明に係るかつら係止用ストッパーの使用の実際について図１に示すものを例に説明する。
ストッパー本体１及びレール状部材３からなるかつら係止用ストッパーは、図１１に示す従来例と同様に義毛を植設したかつら本体の裏面に適宜数取り付けられる。
その取り付けは、レール状部材の裏面に貼着した両面テープにより貼りつける他に、レール状部材の両端の係止孔を利用して縫い付けてもよい。又、樹脂製のものにあっては、かつら裏面に熱溶着することも可能である。
頭部へのかつらの固定は、係止片２・・・の先端側が長辺１ｂから離れている状態でかつらを被り、係止片２の先端で自毛を鋤くようにして自毛を係止した後、ストッパー本体１の両端を押圧し、これを反転させる。ストッパー本体１が反転すると係止片２の先端は長辺１ｂに押し当てられるので、係止片２と長辺１ｂ間の自毛は固定されることになる。
他のストッパー本体１も同様にして、かつらを頭部に固定する。
かつらを頭部から外すには、自毛を係止しているストッパー本体１を逆側に反転させれば、係止片２は長辺１ｂから離れ、その係止が解除されるので、かつらを脱ぐことができる。
ストッパー本体１の位置をずらすには、ストッパー本体１が係止されていない状態でストッパー本体１をレール状部材３に対して所望位置までスライドさせた後、前記の作業を行なえばよい。
【００１８】
なお、レール状部材に波形を形成した、例えば図３及び図７等に示すものにあっては、形成された波形にピンが入り込み、ストッパーの作用をするので、スライドさせたストッパー本体が不用意に動くのを防止することができる。
図３及び図７においては、波形のものを示したが、これを鋸歯状とすることも可能である。
さらに、図５、図７、図８及び図９に示すものにおいては、レール状部材とストッパー本体とを両長辺側において接合するものについて説明したが、その一方のみにおいて接合することもできる。
又、図９においては、ストッパー本体の慴動部を受ける溝状部をレール状部材側に設けたものを示したが、これを逆とし、ストッパー本体側に溝状部を設けこれを慴動部とし、レール状材側には先端を球形に形成した帯状部を形成してもよい。
以上のように、本発明の要旨を逸脱しない範囲において種々の設計変更が可能なことは当然である。
【００１９】
【発明の効果】
以上の構成よりなる本発明に係るかつら係止用ストッパーは、ストッパー本体をレール状部材に対してスライドさせることができ、ストッパーの係止に使用する個所の自毛を適宜変更することができるので、自毛に無用なストレスを与えることがない。
その結果、係止する個所の自毛の抜けを未然に防止することができる。
さらに、ストッパー本体をスライドさせるに際しても、レール状部材を使用することで、その範囲内であれば容易に移動が可能である。
又、レール状部材の長辺を波形に形成したものにあっては、スライドさせたストッパー本体が確実に固定されることから、不用意に動くことがないので、かつらを頭部へ装着するに際しての位置決めを誤りなく行なうことができる。さらに、不用意に動くことで、かつら装着時に自毛を引っ張る心配がない。
さらに、かつらストッパーをかつら裏面に取り付けるに際しても、両面テープ等により容易に行なうことができ、特に図４、図５、図７、図８及び図９に示すものにおいては、レール状材の裏面全体を使用することができるので、その接着はより確実となる等、かつら係止用ストッパーとして多くの優れた効果を有する。
【図面の簡単な説明】
【図１】本発明のかつら係止用ストッパーの全体を示す斜視図である。
【図２】図１のＡ−Ａ線の断面図である。
【図３】レール状部材の切り抜き部を波形に形成したかつら係止用ストッパーの全体を示す斜視図である。
【図４】レール状部材を断面凹型に形成したかつら係止用ストッパーの全体を示す斜視図である。
【図５】ストッパー本体とレール状部材との接合が、ストッパー本体の両長辺側によりなされる状態を示す全体斜視図である。
【図６】図５のＢーＢ線断面図ある。
【図７】レール状部材の長辺を波形に形成したかつら係止用ストッパーの全体を示す斜視図である。
【図８】レール状部材を断面逆凸型に形成したかつら係止用ストッパーの全体を示す斜視図である。
【図９】ストッパー本体とレール状部材との接合が、ストッパー本体の両長辺裏面に設けた慴動部とレール状部材の両長辺側に取り付けた溝状部とになされる状態を示す全体斜視図である。
【図１０】図９に示すかつら係止用ストッパーの接合状態を示す一部拡大断面図である。
【図１１】従来のかつら係止用ストッパーの一例を示す平面図である。
【符号の説明】
１    ストッパー本体
１ａ  長辺
１ｂ  長辺
２    係止片
３  レール状部材
３ａ  切り抜き部
４ａ  ピン
４ｂ  ピン
５    係止部
３１  ストッパー本体
３３  レール状部材
３３ａ  切り抜き
３３ｂ  凹み部
３４ａ  ピン
３４ｂ  ピン
４１  ストッパー本体
４３  レール状部材
４４ａ  ピン
４４ｂ  ピン
５１  ストッパー本体
５３  レール状部材
５４ａ  ピン
５４ｂ  ピン
５４ｃ  ピン
５４ｄ  ピン
５５  係止片
７１  ストッパー本体
７３  レール状部材
７３ａ  縮径部
７４ａ  ピン
７４ｂ  ピン
７４ｃ  ピン
７４ｄ  ピン
８１  ストッパー本体
８３  レール状部材
８４ａ  ピン
８４ｂ  ピン
８４ｃ  ピン
８４ｄ  ピン
９１  ストッパー本体
９１ａ  長辺
９２  係止片
９３  レール状部材
９３ａ  溝状部
９３ｂ  溝状部
９４ａ  慴動部
【図１】
0003927324.tif 000002
【図２】
0003927324.tif 000003
【図３】
0003927324.tif 000004
【図４】
0003927324.tif 000005
【図５】
0003927324.tif 000006
【図６】
0003927324.tif 000007
【図７】
0003927324.tif 000008
【図８】
0003927324.tif 000009
【図９】
0003927324.tif 000010
【図１０】
0003927324.tif 000011
【図１１】
0003927324.tif 000012